(57)【要約】【課題】データの不正使用を効果的に防止し得るデータ不正使用防止システム、データ再生装置、利用者識別手段、証明情報書込装置、データ不正使用防止方法、データ不正使用防止プログラム、およびコンピュータ読取可能な記録媒体を提供する。【解決手段】データ不正使用防止システム１は、データを識別するための第１証明情報および第２証明情報のうち、該第１証明情報を該データを再生するゲーム機３に発行し、該第２証明情報を利用者を識別するためのＩＣカード２に発行する登録所９を備えている。ゲーム機３は、ゲーム機３に上記第１証明情報が記憶されており、かつＩＣカード２に第２証明情報が記憶されているか否かの判断結果に応じて、ゲームプログラムの実行等を行う。【選択図】  図１
2004350059.tif 000002
【特許請求の範囲】
【請求項１】
データの不正使用を防止するためのデータ不正使用防止システムにおいて、
上記データを識別するための第１証明情報および第２証明情報のうち、該第１証明情報を該データを再生するデータ再生装置に発行し、該第２証明情報を利用者を識別するための利用者識別手段に発行する証明情報発行手段と、
上記データ再生装置に上記第１証明情報が記憶されており、かつ上記第２証明情報が上記利用者識別手段に記憶されているか否かを判断する認証手段とを備え、
上記データ再生装置は、上記認証手段の判断結果に応じて、上記データを再生するものであることを特徴とするデータ不正使用防止システム。
【請求項２】
上記データは、暗号化されたデータである一方、
上記利用者識別手段は、上記データを復号化するための復号化情報を記憶しており、
上記データ再生装置は、上記認証手段の判断結果に応じて上記復号化情報を取得する復号化手段を備えていることを特徴とする請求項１に記載のデータ不正使用防止システム。
【請求項３】
上記証明情報発行手段は、上記復号化情報を公開鍵暗号方式を用いて上記利用者識別手段に発行することを特徴とする請求項２に記載のデータ不正使用防止システム。
【請求項４】
上記証明情報発行手段は、上記第２証明情報を公開鍵暗号方式を用いて上記利用者識別手段に発行することを特徴とする請求項１ないし３のいずれか１項に記載のデータ不正使用防止システム。
【請求項５】
上記証明情報発行手段は、上記データを再生できる回数に関する再生回数制限情報を上記利用者識別手段に発行することを特徴とする請求項１ないし４のいずれか１項に記載のデータ不正使用防止システム。
【請求項６】
上記データを識別するためのデータ識別情報を記憶したデータ識別手段と、
上記データ識別情報を読み取るデータ識別情報読取手段とを備え、
上記証明情報発行手段は、上記データ識別情報読取手段における上記データ識別情報の読取結果に応じて、上記利用者識別手段に上記第２証明情報を発行することを特徴とする請求項１ないし５のいずれか１項に記載のデータ不正使用防止システム。
【請求項７】
上記データ識別手段は、ＲＦ−ＩＤであることを特徴とする請求項６に記載のデータ不正使用防止システム。
【請求項８】
再生すべきデータを識別するために証明情報発行手段により発行される第１証明情報および第２証明情報のうち、上記第１証明情報を記憶する第１証明情報記憶手段と、
利用者を識別するための利用者識別手段に上記第２証明情報が記憶されているか否かを判断する認証手段と、
上記認証手段の判断結果に応じて、データを再生するか否かを判断するデータ再生可否判断手段とを備えていることを特徴とするデータ再生装置。
【請求項９】
データ再生装置にて再生されるデータを識別するために証明情報発行手段により発行される第１証明情報および第２証明情報のうち、上記第２証明情報を記憶する一方で、
上記第２証明情報は、上記データ再生装置にて上記データを再生する際に、上記第１証明情報が上記データ再生装置に記憶されているか否かを判断する認証手段により読み取られることを特徴とする利用者識別手段。
【請求項１０】
データ再生装置にて再生されるデータを識別するために証明情報発行手段により発行される第１証明情報および第２証明情報のうち、上記第２証明情報を受け取る通信手段と、
上記第１証明情報を記憶可能なデータ再生装置によって読取可能であるとともに利用者を識別するための利用者識別手段に、上記通信手段により受信された上記第２証明情報を書き込む書込手段とを備えていることを特徴とする証明情報書込装置。
【請求項１１】
データを識別するためのデータ識別情報が記憶されたデータ識別手段から上記データ識別情報を読み取るデータ識別情報読取手段を備え、
上記通信手段は、上記データ識別情報読取手段の読取結果に応じて、上記証明情報発行手段へ上記第２証明情報の送信を依頼することを特徴とする請求項１０に記載の証明情報書込装置。
【請求項１２】
データの不正使用を防止するためのデータ不正使用防止方法において、
上記データを識別するための第１証明情報および第２証明情報のうち、証明情報発行手段により、該１証明情報を該データを再生するデータ再生装置に発行し、該第２証明情報を利用者を識別するための利用者識別手段に発行する第１ステップと、
上記データ再生装置に上記第１証明情報が記憶されており、かつ上記第２証明情報が上記利用者識別手段に記憶されているか否かを、認証手段により判断する第２ステップと、
上記第２ステップの判断結果に応じて、上記データを再生する第３ステップとを備えていることを特徴とするデータ不正使用防止方法。
【請求項１３】
請求項１に記載のデータ不正使用防止システムにおける証明情報発行手段および認証手段としてコンピュータを機能させるためのデータ不正使用防止プログラム。
【請求項１４】
請求項１３に記載のデータ不正使用防止プログラムを記録したコンピュータ読み取り可能な記録媒体。
【発明の詳細な説明】
【０００１】
【発明の属する技術分野】
本発明は、著作権を有するゲームや音楽等のデジタルデータの著作権の保護に関する。
【０００２】
【従来の技術】
従来のゲームソフトや音楽等のデジタルデータは、ＣＤ−ＲＯＭ（Ｒｅａｄ  Ｏｎｌｙ  Ｍｅｍｏｒｙ）やＤＶＤ（Ｄｉｇｉｔａｌ  Ｖｉｄｅｏ  Ｄｉｓｃ）、またはその他の媒体に記録され、暗号化やコピープロテクト等の方法により不正使用の防止が行われていた。たとえば、特許文献１には、不正コピー処理を施したディスクおよびディスクプレーヤーについて開示されている。
【０００３】
【特許文献１】
特開２００１−１１０１３７号公報（２００１年４月２０日公開）
【０００４】
【発明が解決しようとする課題】
しかしながら、従来におけるデジタルデータの不正使用防止の手法では、一旦暗号解読やコピープロテクト除去のための技術的手段が作成されてしまうと、その技術的手段により容易に不正使用が行われやすいという問題があった。
【０００５】
本発明は、上記従来の問題点に鑑みなされたものであって、その目的は、データの不正使用を効果的に防止し得るデータ不正使用防止システム、データ再生装置、利用者識別手段、証明情報書込装置、データ不正使用防止方法、データ不正使用防止プログラム、およびコンピュータ読取可能な記録媒体を提供することにある。
【０００６】
【課題を解決するための手段】
上記課題を解決するために、本発明のデータ不正使用防止システムは、データを識別するための第１証明情報および第２証明情報のうち、該第１証明情報を該データを再生するデータ再生装置に発行し、該第２証明情報を利用者を識別するための利用者識別手段に発行する証明情報発行手段と、上記データ再生装置に上記第１証明情報が記憶されており、かつ上記第２証明情報が上記利用者識別手段に記憶されているか否かを判断する認証手段とを備え、上記データ再生装置は、上記認証手段の判断結果に応じて、上記データを再生するものであることを特徴としている。
【０００７】
上記構成によれば、証明情報発行手段により、データを識別するための第１証明情報および第２証明情報が、それぞれデータ再生装置と利用者識別手段とに発行される。そして、認証手段は、第１証明情報および第２証明情報が、それぞれデータ再生装置または利用者識別手段に記憶されているか否かを確認する。なお、利用者識別手段としては、ＩＣカード、携帯電話等、利用者毎に与えられ利用者を特定できる種々のものを採用できる。
【０００８】
これらの第１証明情報および第２証明情報は、証明情報発行手段によりデータに対応して発行されるものである。すなわち、認証手段は、データ再生装置および利用者識別手段が、データに対応する証明情報を有する正規のものであるか否かを判断することができる。
【０００９】
そして、データ再生装置は、認証手段の判断結果に応じてデータを再生するので、利用者識別手段が正規のものである場合にデータを再生する一方、利用者識別手段が第２証明情報を有しない不正のものであると判断した場合にデータを再生しないように構成可能である。なお、ここでは「データの再生」という文言を、音楽・プログラム等のデータを再生することのみならず、プログラムを実行することを含む意味において用いている。
【００１０】
このように、本発明のデータ不正使用防止システムは、利用者識別手段が正規のものであるか否かを判断して、データの再生を行う。したがって、利用者は、データを再生するにあたって、正規のルートで第２証明情報が記憶された利用者識別手段をその都度提示する必要があり、不正に取得された暗号解読やコピープロテクト除去のための技術的手段を用いてはデータを再生することができない。よって、本発明によれば、データの不正使用を効果的に防止し得るデータ不正使用防止システムを提供することができる。
【００１１】
さらに、本発明のデータ不正使用防止システムは、上記構成において、上記データが、暗号化されたデータである一方、上記利用者識別手段が、上記データを復号化するための復号化情報を記憶しており、上記データ再生装置が、上記認証手段の判断結果に応じて上記復号化情報を取得する復号化手段を備えていることを特徴としている。
【００１２】
上記構成によれば、データを再生するために必要な復号化情報が、利用者識別手段に記憶されている。すなわち、復号化情報は、再生すべきデータを格納した記録媒体等に格納されていない。したがって、利用者は、暗号化されたデータを再生するにあたって、利用者識別手段を提示し、データ再生装置の復号化手段が復号化情報を利用者識別手段から取得できるようにする必要がある。
【００１３】
よって、本発明によれば、データの不正使用をより効果的に防止し得るデータ不正使用防止システムを提供することができる。
【００１４】
さらに、本発明のデータ不正使用防止システムは、上記構成において、上記証明情報発行手段が、上記復号化情報を公開鍵暗号方式を用いて上記利用者識別手段に発行することを特徴としている。
【００１５】
上記構成によれば、公開鍵暗号方式を用いることにより、セキュリティの高められた方式において復号化情報が利用者識別手段に発行される。したがって、暗号化されたデータの復号に際し、セキュリティ保護された復号化情報が用いられることとなるので、データの不正使用をより効果的に防止し得るデータ不正使用防止システムを提供することができる。
【００１６】
さらに、本発明のデータ不正使用防止システムは、上記構成において、上記証明情報発行手段が、上記第２証明情報を公開鍵暗号方式を用いて上記利用者識別手段に発行することを特徴としている。
【００１７】
上記構成によれば、公開鍵暗号方式を用いることにより、よりセキュリティの高められた方式において第２証明情報が利用者識別手段に発行される。したがって、不正ルートで第２証明情報が利用者識別手段に発行されることを防止でき、よりセキュリティが高められたデータ不正使用防止システムを提供することができる。
【００１８】
さらに、本発明のデータ不正使用防止システムは、上記構成において、上記証明情報発行手段が、上記データを再生できる回数に関する再生回数制限情報を上記利用者識別手段に発行することを特徴としている。
【００１９】
上記構成によれば、データ再生装置は、利用者識別手段に発行される再生回数制限情報を参照することにより、データの再生回数に制限を設けることができる。したがって、たとえば視聴用の音楽データを利用者に提供する際において、低価格で利用者に該音楽データを提供する一方で、たとえば３回だけ該データを利用者が再生できるようにすることができる。これにより、利用者は、購入希望の音楽データを視聴上で実際に購入するか否かの判断を行うことができる。
【００２０】
それゆえ、よりユーザニーズに対応したデータの提供を行うことができる。
【００２１】
さらに、本発明のデータ不正使用防止システムは、上記構成において、上記データを識別するためのデータ識別情報を記憶したデータ識別手段と、上記データ識別情報を読み取るデータ識別情報読取手段とを備え、上記証明情報発行手段が、上記データ識別情報読取手段における上記データ識別情報の読取結果に応じて、上記利用者識別手段に上記第２証明情報を発行することを特徴としている。
【００２２】
上記構成によれば、たとえば再生すべきデータを格納した記録媒体や記録媒体の包装にデータ識別手段を設け、そのデータ識別手段に記憶されたデータ識別情報をデータ識別情報読取手段にて読み取ることができる。
【００２３】
さらに、証明情報発行手段は、データ識別情報読取手段における読取結果に応じて第２証明情報を利用者識別手段に発行する。したがって、たとえばデータの記録媒体等にデータ識別情報が格納されていなければ、第２証明情報を発行しないというように、よりセキュリティの高められた方式にて第２証明情報を利用者識別手段に発行することができる。
【００２４】
それゆえ、よりセキュリティが高められたデータ不正使用防止システムを提供することができる。
【００２５】
さらに、本発明のデータ不正使用防止システムは、上記構成において、上記データ識別手段が、ＲＦ−ＩＤであることを特徴としている。
【００２６】
ＲＦ−ＩＤに記憶された情報は非接触にて読み取ることができるので、上記構成によれば、データ識別手段であるＲＦ−ＩＤをデータを格納した記録媒体またはその包装に貼付することにより、包装を開封することなく、データ識別情報を読み取ることができる。
【００２７】
よって、より簡便にデータ識別情報を読み取ることができるので、セキュリティの高められたデータ不正使用防止システムをより簡易に実現することができる。
【００２８】
また、本発明のデータ再生装置は、再生すべきデータを識別するために証明情報発行手段により発行される第１証明情報および第２証明情報のうち、上記第１証明情報を記憶する第１証明情報記憶手段と、利用者を識別するための利用者識別手段に上記第２証明情報が記憶されているか否かを判断する認証手段と、上記認証手段の判断結果に応じて、データを再生するか否かを判断するデータ再生可否判断手段とを備えていることを特徴としている。
【００２９】
また、本発明の利用者識別手段は、データ再生装置にて再生されるデータを識別するために証明情報発行手段により発行される第１証明情報および第２証明情報のうち、上記第２証明情報を記憶する一方で、上記第２証明情報は、上記データ再生装置にて上記データを再生する際に、上記第１証明情報が上記データ再生装置に記憶されているか否かを判断する認証手段により読み取られることを特徴としている。
【００３０】
上記構成のデータ再生装置は、認証手段を備えているので、利用者識別手段が第２証明情報を有する正規のものであるか否かを判断することができる。さらに、認証手段の判断結果に応じてデータ再生の可否を判断するデータ再生可否判断手段を備えているので、利用者識別手段が正規のものである場合にデータを再生することができる。一方、データ再生装置は、利用者識別手段が第２証明情報を有しない不正のものであると判断された場合には、データを再生しないこともできる。
【００３１】
また、上記構成の利用者識別手段によれば、データ再生装置にてデータを再生する際に読み取られる第２証明情報が記憶されている。
【００３２】
したがって、本発明のデータ再生装置を用いてデータの再生を行う際、ユーザは、正規のルートで第２証明情報が記憶された利用者識別手段をその都度提示する必要があり、不正に取得された暗号解読やコピープロテクト除去のための技術的手段を用いてはデータを再生することができない。よって、本発明によれば、データの不正使用を効果的に防止し得るデータ再生装置および利用者識別手段を提供することができる。
【００３３】
また、本発明の証明情報書込装置は、データ再生装置にて再生されるデータを識別するために証明情報発行手段により発行される第１証明情報および第２証明情報のうち、上記第２証明情報を受け取る通信手段と、上記第１証明情報を記憶可能なデータ再生装置によって読取可能であるとともに利用者を識別するための利用者識別手段に、上記通信手段により受信された上記第２証明情報を書き込む書込手段とを備えていることを特徴としている。
【００３４】
上記構成の証明情報書込装置によれば、証明情報発行手段により発行される第２証明情報を通信手段によりネットワーク経由で受信し、さらに受信された第２証明情報を利用者識別手段に書き込むことができる。すなわち、１つの証明情報発行手段に接続された複数の証明情報書込装置から第２証明情報を利用者識別手段に発行することができるので、より簡易に第２証明情報を利用者識別手段に書き込むことができる。
【００３５】
さらに、本発明の証明情報書込装置は、上記構成において、データを識別するためのデータ識別情報が記憶されたデータ識別手段から上記データ識別情報を読み取るデータ識別情報読取手段を備え、上記通信手段が、上記データ識別情報読取手段の読取結果に応じて、上記証明情報発行手段へ上記第２証明情報の送信を依頼することを特徴としている。
【００３６】
上記構成によれば、たとえば再生すべきデータを格納した記録媒体や記録媒体の包装にデータ識別手段を設け、そのデータ識別手段に記憶されたデータ識別情報をデータ識別情報読取手段にて読み取ることができる。
さらに、通信手段は、データ識別情報読取手段における読取結果に応じて第２証明情報の送信要求を証明情報発行手段に対して行う。したがって、たとえばデータの記録媒体等にデータ識別情報が格納されていなければ、第２証明情報の送信要求をしないというように、よりセキュリティの高められた方式にて証明情報発行手段に第２証明情報を送信させることができる。
【００３７】
また、本発明のデータ不正使用防止方法は、データを識別するための第１証明情報および第２証明情報のうち、証明情報発行手段により、該１証明情報を該データを再生するデータ再生装置に発行し、該第２証明情報を利用者を識別するための利用者識別手段に発行する第１ステップと、上記データ再生装置に上記第１証明情報が記憶されており、かつ上記第２証明情報が上記利用者識別手段に記憶されているか否かを、認証手段により判断する第２ステップと、上記第２ステップの判断結果に応じて、上記データを再生する第３ステップとを備えていることを特徴としている。
【００３８】
上記構成によれば、本発明のデータ不正使用防止システムと同様の作用効果を得ることができる。
【００３９】
また、本発明のデータ不正使用防止プログラムは、本発明のデータ不正使用防止システムにおける証明情報発行手段および認証手段としてコンピュータを機能させることを特徴としている。
【００４０】
上記プログラムをコンピュータシステムにロードすることによって、上記データ不正使用システムを実現することが可能となる。
【００４１】
また、本発明のコンピュータ読み取り可能な記録媒体は、上記構成のデータ不正使用防止プログラムを記録しているものである。
【００４２】
上記記録媒体に記録されたプログラムをコンピュータシステムにロードすることによって、上記データ不正使用防止プログラムを実現することが可能となる。
【００４３】
【発明の実施の形態】
〔１．システムの全体構成〕
本発明のデータ不正使用防止システムの一実施形態について、図１ないし図４を参照しつつ説明する。
【００４４】
図１に示すように、本実施の形態のデータ不正使用防止システム１は、ＩＣカード（利用者識別手段）２と、ゲーム機（データ再生装置）３と、記録媒体４と、販売店端末（証明情報発行手段、証明情報書込装置）５と、登録所（証明情報発行手段）９とから構成される。
【００４５】
ＩＣカード２は、ゲーム機３により読み込まれるとともに記録媒体４に記録されたデジタルコンテンツに関する使用権利情報を記録するものである。なお、使用権利情報とは、記録媒体４に暗号化されて記録されたデジタルコンテンツを復号するために必要な復号鍵などの復号化情報をいう。また、ここでは「デジタルコンテンツ」という文言は、記録媒体４に記録されたゲームソフト等のプログラム、および映画・音楽等のデジタルデータの両方を含む意味において用いている。
【００４６】
また、ＩＣカード２は、販売店端末５により発行されるものである。この販売店端末５は、記録媒体４の販売店に設置されるものであるとともに、ＩＣカード２に記録すべき使用権利情報やＩＣカード自身のＩＤ情報（データ識別情報）を、ゲームソフトメーカ６との間でやりとりするものである。なお、販売店端末５が上述の使用権利情報等をゲームソフトメーカ６から取得し、ＩＣカード２に記録する際には、公開鍵暗号によるＰＫＩ（Ｐｕｂｌｉｃ  Ｋｅｙ  Ｉｎｆｒａｓｔｒｕｃｔｕｒｅ）方式が用いられる。
【００４７】
ゲーム機３は、記録媒体４に記録されたゲームソフト等のプログラムを実行するものである。また、ゲーム機３は、記録媒体４に記録された映画、音楽等のデジタルデータを再生できるように構成してもよい。なお、以下の記載では、このようなプログラムの実行やデジタルデータの再生を、単に「デジタルコンテンツの再生」と換言する場合もある。
【００４８】
さらに、ゲーム機３は、ＩＣカード２に記録された使用権利情報を読み取ったり、ＩＣカード２に記録されたほかの情報を読み取りまたは書き込んだりするＩＣカードリーダ／ライタ部（以下、単にＩＣカードＲ／Ｗ部とする）７を備えている。なお、ゲーム機３とＩＣカードＲ／Ｗ部７とを、別体で設ける構成としてもよい。
【００４９】
また、ゲーム機３は、登録所９と通信回線を介して接続されたゲーム機メーカ８により提供されるものである。上記の登録所９は、ＩＣカード２に記録された使用権利情報が適正なものであるか否かを判断するための第１証明情報をゲーム機メーカ８に発行する。この第１証明情報は、ゲーム機メーカ８により、ゲーム機３の内部記憶媒体に記録される。また、登録所９は、ゲーム機メーカ８に付与した第１証明情報と関連付けられた第２証明情報をゲームソフトメーカ６にも発行する。
【００５０】
なお、ゲームソフトメーカ６、ゲーム機メーカ８、および登録所９は、同一主体により実現されていてもよい。また、販売店端末５と、ゲームソフトメーカ６と、ゲーム機メーカ８と、登録所９とは互いに通信回線により接続されている。
【００５１】
また、インターネットを介してゲームソフトを販売する場合には、販売店端末５が存在しない場合もある。この場合には、ゲームソフトメーカ６自身が使用権利情報の記録されたＩＣカード２を発行し、このＩＣカード２と記録媒体４とが利用者へ郵送・宅配されるようにしてもよい。あるいは、コンビニエンスストア等の店舗で利用者にＩＣカード２および記録媒体４が手渡しされるようにしてもよい。
【００５２】
ゲーム機３は、上述のように登録所９より提供される第１証明情報に基づき、自身に挿入されたＩＣカード２の使用権利情報が適正であるか否かを判断し、その判断結果に基づいて記録媒体４に記録されたデジタルコンテンツを再生する。なお、ゲーム機３の詳細な構成および機能については後述する。
【００５３】
記録媒体４は、上述のようにゲームソフト等のプログラム、あるいは音楽、映画等のデジタルデータを記録するものであり、ＣＤ−ＲＯＭまたはＤＶＤ等を用いることができる。
【００５４】
また、記録媒体４は、記録媒体４を記録媒体に記録されたデジタルコンテンツを特定するためのＩＤコードを記録したＲＦ−ＩＤ（データ識別手段）１０を備えている。ＲＦ−ＩＤ１０としては、非接触ＩＣチップのうち、通信距離が２０ｃｍあるものを用いることが望ましい。このように非接触で読み取り可能なＲＦ−ＩＤ１０を用いることにより、記録媒体４の購入時において、記録媒体４の梱包を解くことなく、販売店端末５にて上記ＩＤコードを読み取ることが可能となる。
【００５５】
なお、ＲＦ−ＩＤ１０は、記録媒体４に直接貼付されている必要はない。たとえば、ＲＦ−ＩＤ１０は、記録媒体４を梱包している梱包箱に貼付されていてもよい。
【００５６】
上記構成により、本実施の形態のデータ不正使用防止システム１は、ゲーム機３においてＩＣカード２の使用権利情報を読み取るとともに、その使用権利情報が適正なものであるかをゲーム機３に記憶された第１証明情報に基づいて判断する。そして、使用権利情報が適正であると判断された場合、データ不正使用防止システム１は、ゲーム機３において記録媒体４に記録されたデジタルコンテンツの再生を可能とする。以下に、記録媒体の販売店において、ＩＣカード２に使用権利情報が書き込まれる際の手順について説明する。
【００５７】
先ず、利用者が購入を希望するデジタルコンテンツが記録された記録媒体をレジに持っていくと、販売店端末５の操作担当者が、利用者に対しＩＣカード２の提示を求める。なお、利用者がＩＣカードを持っていない場合には所定の手続きを踏んでＩＣカードを購入する必要があるが、以下では利用者が既にＩＣカードを購入しているものとして説明する。
【００５８】
次に、操作者は記録媒体４のＲＦ−ＩＤ１０に記録されたＩＤコードを販売店端末５のＲＦ−ＩＤリーダを用いて読み取る。これにより、使用権利情報が必要なデジタルコンテンツのＩＤコードが販売店端末５に入力される。
【００５９】
以降は販売店端末５にインストールされた使用権利情報取得プログラムの画面指示（図示せず）に従って操作者が販売店端末５を操作すると、ゲームソフトメーカ６などの使用権利情報の管理者と、販売店端末５との間で相互認証が行なわれ、上記ＩＤコードから利用者が使用権利情報を与えてもよい者であるか否かを判断する。
【００６０】
この相互認証が完了すると、ゲームソフトメーカ６から販売店端末５に使用権利情報が送信される。同時に、ゲームソフトメーカ６は、登録所９により発行された第２証明情報を販売店端末に送信する。販売店端末５は、このように送信された第２証明情報および使用権利情報を、ＩＣカード２に書き込む。以上の手順により、ＩＣカード２に使用権利情報が書き込まれる。
【００６１】
〔２．販売店端末の構成〕
次に、販売店端末５の具体的な構成について説明する。販売店端末５は、図２に示すように、通信部（通信手段）２０と、ＩＣカードＲ／Ｗ部２１と、媒体情報リーダ部２２とを備えている。
【００６２】
通信部２０は、ゲームソフトメーカとの通信を行うものであり、証明情報取得部２３ａと、使用権利情報取得部２３ｂと、ＩＤ情報送信部２４とを備えている。
【００６３】
証明情報取得部２３ａは、登録所９（図１）により発行された第２証明情報を、ゲームソフトメーカから取得するものである。使用権利情報取得部２３ｂは、ゲームソフトメーカから使用権利情報を取得するものである。
【００６４】
また、ＩＤ情報送信部２４は、後述する媒体情報リーダ部２２に設けられたＩＤ情報リーダ部（データ識別情報読取手段）２６により読み取られるＲＦ−ＩＤ１０内のＩＤコードを、ゲームソフトメーカに送信するものである。
【００６５】
ＩＣカードＲ／Ｗ部２１は、ＩＣカード２に記録された各種情報の読み取り／書き込みを行うものである。また、ＩＣカードＲ／Ｗ部２１は、証明情報Ｒ／Ｗ部（書込手段）２５ａと、使用権利情報Ｒ／Ｗ部２５ｂとを備えている。
証明情報Ｒ／Ｗ部２５ａは、証明情報取得部２３ａが取得した第２証明情報をＩＣカード２に書き込むものである。また、使用権利情報Ｒ／Ｗ部２５ｂは、上述の使用権利情報取得部２３ｂがゲームソフトメーカから取得した使用権利情報を、ＩＣカード２に書き込むものである。
【００６６】
また、媒体情報リーダ部２２は、記録媒体４に貼付されたＲＦ−ＩＤ１０の各種情報を読み込むものであり、ＩＤ情報リーダ部２６を備えている。このＩＤ情報リーダ部２６は、ＲＦ−ＩＤ１０に記録されるＩＤコードを読み取り、通信部２０におけるＩＤ情報送信部２４に送信するものである。なお、このＩＤコードは、上述したとおり、記録媒体４に記録されたデジタルコンテンツを特定する情報である。
【００６７】
上記構成により、販売店端末５は、ＩＤ情報リーダ部２６によりＲＦ−ＩＤ１０からＩＤコードを読み取り、さらに読み取ったＩＤコードをＩＤ情報送信部２４によりゲームソフトメーカに送信する。一方、ゲームソフトメーカは、ＩＤ情報送信部２４からのＩＤコードを受信すると、そのＩＤコードに対応した第２証明情報および使用権利情報を、それぞれ証明情報取得部２３ａおよび使用権利情報取得部２３ｂに送信する。そして、証明情報Ｒ／Ｗ部２５ａは、証明情報取得部２３ａから送信される第２証明情報をＩＣカード２に書き込む。同時に、使用権利情報Ｒ／Ｗ部２５ｂは、使用権利情報取得部２３ｂから送信される使用権利情報をＩＣカード２に書き込む。このようにして、販売店端末５による第２証明情報および使用権利情報のＩＣカード２への書き込み作業が行われる。
【００６８】
〔３．ゲーム機の構成〕
次に、ゲーム機３の構成について説明する。ゲーム機３は、図３に示すように、制御部３０と、プログラム読取部３１と、通信回線Ｉ／Ｆ部３２と、操作Ｉ／Ｆ部３３とを備えている。なお、ゲーム機３は、図１に示したように、ＩＣカードＲ／Ｗ部７を備えている。
【００６９】
制御部３０は、ゲーム機３により実現されるデジタルコンテンツの再生作業を統括的に制御するものである。具体的に説明すると、制御部３０は、証明情報記憶部（第１証明情報記憶手段）３４と、使用権利情報判断部（認証手段、データ再生可否判断手段）３５と、暗号処理部（復号化手段）３６と、ゲーム実行部３７とを備えている。
【００７０】
証明情報記憶部３４は、ゲーム機３の製造時にゲーム機メーカにより付与される第１証明情報を記憶するものである。使用権利情報判断部３５は、ＩＣカードＲ／Ｗ部７によりＩＣカード２から読み取られた使用権利情報が適正なものであるか否かを判断するものである。この判断の手順については後述する。
【００７１】
暗号処理部３６は、使用権利情報判断部３５によりＩＣカード２内の使用権利情報が適正なものであると判断された場合、ＩＣカード２から使用権利情報内の復号鍵を取得して、プログラム読取部３１に読み取られる記録媒体４内の暗号化されたデジタルコンテンツを復号化するものである。
【００７２】
ゲーム実行部３７は、暗号処理部３６により復号化された記録媒体４のデジタルコンテンツに基づき、デジタルコンテンツの再生動作を実行するものである。さらに、ゲーム実行部３７は、デジタルコンテンツの再生動作により得られる音声信号・映像信号等を、ＴＶモニター等の外部出力機器３８に出力する。
【００７３】
上記構成により、制御部３０は、ＩＣカード２に記録された使用権利情報が適正なものであるかを判断し、その判断結果に基づいて、記録媒体４に記録されたデジタルコンテンツを再生する。
【００７４】
通信回線Ｉ／Ｆ部３２は、外部通信回線と制御部３０とを接続するためのインターフェースである。この通信回線Ｉ／Ｆ部３２により外部と通信可能とされているので、ゲーム機３は、ネットワーク対戦型のゲームや、証明情報記憶部３４に記憶された第１証明情報のアップデートなどを行うことができる。また、操作Ｉ／Ｆ部３３は、利用者がゲーム機３を操作するために用いる操作機３９と、ゲーム機３とを接続するためのインターフェースである。
【００７５】
また、ＩＣカードＲ／Ｗ部７は、ＩＣカード２内の第２証明情報を読み取るための証明情報リーダ部７ａと、ＩＣカード２内の使用権利情報を読み取るための使用権利情報リーダ部７ｂとを備えている。この使用権利情報リーダ部７ｂに読み取られた使用権利情報は、使用権利情報判断部３５によりその真偽が確認される。以下、この使用権利情報に関する真偽の確認手順について説明する。
【００７６】
使用権利情報に関する真偽の確認は、上述のように使用権利情報判断部３５にて行われる。具体的には、使用権利情報判断部３５は、証明情報リーダ部７ａにより読み取られるＩＣカード２内の第２証明情報と、証明情報記憶部３４に記憶された第１証明情報とが関連づいたものか否かを判断する。
【００７７】
ここで、第１証明情報および第２証明情報は、登録所９（図１）により、関連付けられたものがゲームソフトメーカおよびゲーム機メーカに発行される。そして、ゲームソフトメーカは、販売店端末５（図１）を介してＩＣカードに認証情報を書き込む。一方で、ゲーム機メーカ８は、ゲーム機の製造時に証明情報記憶部３４に第１証明情報を格納する。つまり、正規の販売店端末により第２証明情報や使用権利情報が書き込まれたＩＣカード２を利用者が所有している場合、ＩＣカード２内の第２証明情報と、ゲーム機３の証明情報記憶部３４に記憶された第１証明情報とは関連づいているといえる。
【００７８】
したがって、使用権利情報判断部３５は、これらの証明情報が関連づいていないと判断した場合、ＩＣカード２内の使用権利情報は適正でないと判断する。一方、使用権利情報判断部３５は、これらの証明情報が関連づいていると判断した場合に、ＩＣカード２内の使用権利情報が適正であると判断する。
【００７９】
なお、暗号処理部３６は、上述の手順によりＩＣカード２内の使用権利情報が適正なものであると使用権利情報判断部３５が判断した場合に、ＩＣカード２から復号鍵を取得して記録媒体４内のデジタルコンテンツを復号化する。このようにして、ゲーム機３は、ＩＣカード２内の使用権利情報が適正である場合に、記録媒体４内のデジタルコンテンツを再生できるように構成されている。
【００８０】
一方で、ＩＣカード２内の使用権利情報が適正なものであると使用権利情報判断部３５により判断されなかった場合には暗号処理部３６はＩＣカード２から復号鍵を取得しない。これにより、ゲーム機３は、ＩＣカード２が不正なものである場合にデジタルコンテンツの再生が防止されるように構成されている。
【００８１】
〔４．ＩＣカードの構成〕
次に、ＩＣカード２の構成について説明する。ＩＣカード２は、図４に示すように、記憶部４０と制御部４１とを備えている。
【００８２】
記憶部４０は、第２証明情報４３を記憶する一方、複数のゲームごとに使用権利情報４４およびゲーム個別情報４５を記憶するものである。
【００８３】
第２証明情報４３は、上述したように、使用権利情報の真偽確認に用いられる情報である。たとえば第２証明情報４３がＰＫＩ方式により登録所９から発行されるものであれば、第２証明情報は、公開鍵、秘密鍵、電子証明書等を含んでいる。
【００８４】
使用権利情報４４は、ゲームを使用するために必要な情報であり、たとえば復号鍵や、ゲームのＩＤ情報を含んでいる。また、使用権利情報４４として、利用者が記録媒体４のデジタルコンテンツを再生した回数を示す回数制限情報を追加してもよい。この使用回数情報を設けることにより、たとえば利用者があるコンテンツを１０回再生したら別のコンテンツの再生を可能とするというように、回数と関連したコンテンツの再生処理を実現することができる。
【００８５】
また、ゲーム個別情報４５とは、ゲームソフトによりプレイされるゲームの進行状況や、ゲームにおける主人公のステータス、または獲得した得点等のゲームのプレイを継続するために必要な情報のことである。
【００８６】
制御部４１は、外部機器による記憶部４０に記憶された各種情報の読み込み／書き込み動作を統括的に制御するものである。また、制御部４１は、使用権利照合部４２を備えている。
【００８７】
使用権利照合部４２は、証明情報リーダ部７ａおよび使用権利情報リーダ部７ｂ（図３参照）によりＩＣカード２が読み込まれる際、ＩＣカード２内において第２証明情報および使用権利情報の読み取りを制御するものである。
【００８８】
上記構成により、ＩＣカード２には、デジタルコンテンツの再生を行う際に用いられる第２証明情報および使用権利情報が記憶されている。
【００８９】
なお、上述したＩＣカード２、ゲーム機３、および販売店端末５の各ブロックは、ハードウェアロジックによって構成してもよいし、次のようにＣＰＵを用いてソフトウェアによって実現してもよい。
【００９０】
すなわち、ＩＣカード２、ゲーム機３、および販売店端末５は、それぞれの機能を実現するデータ不正使用防止プログラムの命令を実行するＣＰＵ（ｃｅｎｔｒａｌ  ｐｒｏｃｅｓｓｉｎｇ  ｕｎｉｔ  ）、上記プログラムを格納したＲＯＭ（ｒｅａｄ  ｏｎｌｙ  ｍｅｍｏｒｙ）、上記プログラムを展開するＲＡＭ（ｒａｎｄｏｍ  ａｃｃｅｓｓ  ｍｅｍｏｒｙ）、上記プログラムおよび各種データを格納するメモリ等の記憶装置（記録媒体）などを備えている。そして、本発明の目的は、上述した機能を実現するソフトウェアであるデータ不正使用防止プログラムプログラムのプログラムコード（実行形式プログラム、中間コードプログラム、ソースプログラム）をコンピュータで読み取り可能に記録した記録媒体を、上記ＩＣカード２、ゲーム機３、または販売店端末５に供給し、そのコンピュータ（またはＣＰＵやＭＰＵ）が記録媒体に記録されているプログラムコードを読み出し実行することによっても、達成可能である。この場合、記録媒体から読み出されたプログラムコード自体が上述した機能を実現することになり、そのプログラムコードを記録した記録媒体は本発明を構成することになる。
【００９１】
例えば、上記記録媒体としては、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９２】
さらに、システムあるいは装置を通信ネットワークと接続可能に構成し、上記プログラムコードを通信ネットワークを介して供給してもよい。
【００９３】
また、上述した機能は、コンピュータが読み出した上記プログラムコードを実行することによって実現されるだけでなく、そのプログラムコードの指示に基づき、コンピュータ上で稼働しているＯＳなどが実際の処理の一部または全部を行うことによっても実現される。
【００９４】
なお、本発明のデータ不正使用防止システムは、デジタルデータを購入時にＩＣカード内に該デジタルデータ識別情報に対応した復号化権利などに関する使用権利情報を格納させ、該デジタルデータの再生装置は該使用権利情報と該デジタルデータの識別コードとを識別することにより該デジタルデータを実行または再生する構成であってもよい。
【００９５】
さらに、上記構成において、デジタルデータのコンテンツやコンテンツの記録補助情報の一部または全部について公開鍵暗号方式などによる暗号化を行い、コンテンツ別にＩＣカードに搭載された使用権利情報で暗号化されたデジタルデータを復号化する構成であってもよい。
【００９６】
さらに、使用権利情報の取得は、該デジタルデータ購入時に、販売店の端末から通信回線を用いて、該当するデジタルデータの権利情報の管理者から公開鍵暗号方式を使った相互認証を行った後、コンテンツの秘密鍵をＩＣカードにダウンロードして行われる構成であってもよい。
【００９７】
さらに、使用権利情報には、使用回数制限情報が付加されていてもよい。また、デジタルデータに割り振られたＩＤコードを記憶したＲＦ−ＩＤ等の記録媒体を、デジタルデータが書き込まれた記録媒体自体、もしくは梱包されているケースや箱等にあらかじめ貼りつけた構成であってもよい。
【００９８】
上記構成において、たとえばゲーム機である再生装置を、電源投入後に最初にＩＣカードの使用権利情報を確認するように構成する。これにより、ＣＤ−ＲＯＭやＤＶＤ等のデジタルデータの入った媒体を不正にコピーしても、媒体自体には使用権利情報を持たないため、ＩＣカードを再生装置に挿入しない限りデジタルデータを使用できない。
【００９９】
さらに、使用権利情報は、ＩＣカードと使用権利情報の管理者との間でＰＫＩによる秘密鍵、公開鍵暗号通信を行いＩＣカード内に発行および書き込まれるので、使用権利情報の複製や改竄は不可能となる。
【０１００】
更にデジタルデータの購入時において、ＣＤ−ＲＯＭまたはＤＶＤ等の媒体自体、もしくは梱包されているケースや箱等にはあらかじめＩＤコードを記憶したＲＦ−ＩＤ等を貼りつけることにより、封を開けずに販売店の端末からＩＤコードを非接触で読み取ることが可能となる。したがって、使用権利情報を入手する為に必要なデジタルデータのＩＤコードの入力操作が簡単となり、効率良く作業を行うことが可能となる。
【０１０１】
また、再生装置とＩＣカードとの間においてもＰＫＩによる認証で、挿入されたＩＣカードが不正なもので無いことを確認することにより、不正なＩＣカードによる使用が不可能となるので、デジタルデータの著作権をより有効に保護することができる。
【０１０２】
またＩＣカードには複数のデジタルデータの使用権利情報を記憶してもよい。これにより、使用者は１枚のＩＣカードで複数のデジタルデータを使用することが可能となる。
【０１０３】
この場合、購入したデジタルデータを再生装置で再生する際、電子証明書を使用してもよい。
【０１０４】
更にＩＣカードには記憶機能があることから、たとえばゲームの場合で現在のステージ情報、キャラクターのポイント、戦力情報等をＩＣカードに記憶することで、次にゲームを再開する際、前回のゲーム終了時の状態でゲームをスタートさせることができる。
【０１０５】
また使用権利情報に使用回数制限情報を付与することで、２回だけ再生可能であるというように試聴回数が制限された音楽データを低価格で販売することができる。
【０１０６】
【発明の効果】
以上のように、本発明のデータ不正使用防止システムは、データを識別するための第１証明情報および第２証明情報のうち、該第１証明情報を該データを再生するデータ再生装置に発行し、該第２証明情報を利用者を識別するための利用者識別手段に発行する証明情報発行手段と、上記データ再生装置に上記第１証明情報が記憶されており、かつ上記第２証明情報が上記利用者識別手段に記憶されているか否かを判断する認証手段とを備え、上記データ再生装置が、上記認証手段の判断結果に応じて、上記データを再生するものである。
【０１０７】
上記構成によれば、証明情報発行手段により、データを識別するための第１証明情報および第２証明情報が、それぞれデータ再生装置と利用者識別手段とに発行される。そして、認証手段は、第１証明情報および第２証明情報が、それぞれデータ再生装置または利用者識別手段に記憶されているか否かを確認する。
【０１０８】
これらの第１証明情報および第２証明情報は、証明情報発行手段によりデータに対応して発行されるものである。すなわち、認証手段は、データ再生装置および利用者識別手段が、データに対応する証明情報を有する正規のものであるか否かを判断することができる。
【０１０９】
そして、データ再生装置は、認証手段の判断結果に応じてデータを再生するので、利用者識別手段が正規のものである場合にデータを再生する一方、利用者識別手段が第２証明情報を有しない不正のものであると判断した場合にデータを再生しないように構成可能である。
【０１１０】
このように、本発明のデータ不正使用防止システムは、利用者識別手段が正規のものであるか否かを判断して、データの再生を行う。したがって、利用者は、データを再生するにあたって、正規のルートで第２証明情報が記憶された利用者識別手段をその都度提示する必要があり、不正に取得された暗号解読やコピープロテクト除去のための技術的手段を用いてはデータを再生することができない。よって、本発明によれば、データの不正使用を効果的に防止し得るデータ不正使用防止システムを提供することができるという効果を奏する。
【０１１１】
さらに、本発明のデータ不正使用防止システムは、上記構成において、上記データが、暗号化されたデータである一方、上記利用者識別手段が、上記データを復号化するための復号化情報を記憶しており、上記データ再生装置が、上記認証手段の判断結果に応じて上記復号化情報を取得する復号化手段を備えているものである。
【０１１２】
上記構成によれば、データを再生するために必要な復号化情報が、利用者識別手段に記憶されている。すなわち、復号化情報は、再生すべきデータを格納した記録媒体等に格納されていない。したがって、利用者は、暗号化されたデータを再生するにあたって、利用者識別手段を提示し、データ再生装置の復号化手段が復号化情報を利用者識別手段から取得できるようにする必要がある。
【０１１３】
よって、本発明によれば、データの不正使用をより効果的に防止し得るデータ不正使用防止システムを提供することができるという効果を奏する。
【０１１４】
さらに、本発明のデータ不正使用防止システムは、上記構成において、上記証明情報発行手段が、上記復号化情報を公開鍵暗号方式を用いて上記利用者識別手段に発行するものである。
【０１１５】
上記構成によれば、公開鍵暗号方式を用いることにより、セキュリティの高められた方式において復号化情報が利用者識別手段に発行される。したがって、暗号化されたデータの復号に際し、セキュリティ保護された復号化情報が用いられることとなるので、データの不正使用をより効果的に防止し得るデータ不正使用防止システムを提供することができるという効果を奏する。
【０１１６】
さらに、本発明のデータ不正使用防止システムは、上記構成において、上記証明情報発行手段が、上記第２証明情報を公開鍵暗号方式を用いて上記利用者識別手段に発行するものである。
【０１１７】
上記構成によれば、公開鍵暗号方式を用いることにより、よりセキュリティの高められた方式において第２証明情報が利用者識別手段に発行される。したがって、不正ルートで第２証明情報が利用者識別手段に発行されることを防止でき、よりセキュリティが高められたデータ不正使用防止システムを提供することができるという効果を奏する。
【０１１８】
さらに、本発明のデータ不正使用防止システムは、上記構成において、上記証明情報発行手段が、上記データを再生できる回数に関する再生回数制限情報を上記利用者識別手段に発行するものである。
【０１１９】
上記構成によれば、データ再生装置は、利用者識別手段に発行される再生回数制限情報を参照することにより、データの再生回数に制限を設けることができる。したがって、たとえば視聴用の音楽データを利用者に提供する際において、低価格で利用者に該音楽データを提供する一方で、たとえば３回だけ該データを利用者が再生できるようにすることができる。これにより、利用者は、購入希望の音楽データを視聴上で実際に購入するか否かの判断を行うことができる。
【０１２０】
それゆえ、よりユーザニーズに対応したデータの提供を行うことができるという効果を奏する。
【０１２１】
さらに、本発明のデータ不正使用防止システムは、上記構成において、上記データを識別するためのデータ識別情報を記憶したデータ識別手段と、上記データ識別情報を読み取るデータ識別情報読取手段とを備え、上記証明情報発行手段が、上記データ識別情報読取手段における上記データ識別情報の読取結果に応じて、上記利用者識別手段に上記第２証明情報を発行するものである。
【０１２２】
上記構成によれば、たとえば再生すべきデータを格納した記録媒体や記録媒体の包装にデータ識別手段を設け、そのデータ識別手段に記憶されたデータ識別情報をデータ識別情報読取手段にて読み取ることができる。
【０１２３】
さらに、証明情報発行手段は、データ識別情報読取手段における読取結果に応じて第２証明情報を利用者識別手段に発行する。したがって、たとえばデータの記録媒体等にデータ識別情報が格納されていなければ、第２証明情報を発行しないというように、よりセキュリティの高められた方式にて第２証明情報を利用者識別手段に発行することができる。
【０１２４】
それゆえ、よりセキュリティが高められたデータ不正使用防止システムを提供することができるという効果を奏する。
【０１２５】
さらに、本発明のデータ不正使用防止システムは、上記構成において、上記データ識別手段が、ＲＦ−ＩＤであるものである。
【０１２６】
ＲＦ−ＩＤに記憶された情報は非接触にて読み取ることができるので、上記構成によれば、データ識別手段であるＲＦ−ＩＤをデータを格納した記録媒体またはその包装に貼付することにより、包装を開封することなく、データ識別情報を読み取ることができる。
【０１２７】
よって、より簡便にデータ識別情報を読み取ることができるので、セキュリティの高められたデータ不正使用防止システムをより簡易に実現することができるという効果を奏する。
【０１２８】
また、本発明のデータ再生装置は、再生すべきデータを識別するために証明情報発行手段により発行される第１証明情報および第２証明情報のうち、上記第１証明情報を記憶する第１証明情報記憶手段と、利用者を識別するための利用者識別手段に上記第２証明情報が記憶されているか否かを判断する認証手段と、上記認証手段の判断結果に応じて、データを再生するか否かを判断するデータ再生可否判断手段とを備えているものである。
【０１２９】
また、本発明の利用者識別手段は、データ再生装置にて再生されるデータを識別するために証明情報発行手段により発行される第１証明情報および第２証明情報のうち、上記第２証明情報を記憶する一方で、上記第２証明情報は、上記データ再生装置にて上記データを再生する際に、上記第１証明情報が上記データ再生装置に記憶されているか否かを判断する認証手段により読み取られるものである。
【０１３０】
上記構成のデータ再生装置は、認証手段を備えているので、利用者識別手段が第２証明情報を有する正規のものであるか否かを判断することができる。さらに、認証手段の判断結果に応じてデータ再生の可否を判断するデータ再生可否判断手段を備えているので、利用者識別手段が正規のものである場合にデータを再生することができる。一方、データ再生装置は、利用者識別手段が第２証明情報を有しない不正のものであると判断された場合には、データを再生しないこともできる。
【０１３１】
また、上記構成の利用者識別手段によれば、データ再生装置にてデータを再生する際に読み取られる第２証明情報が記憶されている。
【０１３２】
したがって、本発明のデータ再生装置を用いてデータの再生を行う際、ユーザは、正規のルートで第２証明情報が記憶された利用者識別手段をその都度提示する必要があり、不正に取得された暗号解読やコピープロテクト除去のための技術的手段を用いてはデータを再生することができない。よって、本発明によれば、データの不正使用を効果的に防止し得るデータ再生装置および利用者識別手段を提供することができるという効果を奏する。
【０１３３】
また、本発明の証明情報書込装置は、データ再生装置にて再生されるデータを識別するために証明情報発行手段により発行される第１証明情報および第２証明情報のうち、上記第２証明情報を受け取る通信手段と、上記第１証明情報を記憶可能なデータ再生装置によって読取可能であるとともに利用者を識別するための利用者識別手段に、上記通信手段により受信された上記第２証明情報を書き込む書込手段とを備えているものである。
【０１３４】
上記構成の証明情報書込装置によれば、証明情報発行手段により発行される第２証明情報を通信手段によりネットワーク経由で受信し、さらに受信された第２証明情報を書込手段により利用者識別手段に書き込むことができる。すなわち、１つの証明情報発行手段に接続された複数の証明情報書込装置から第２証明情報を利用者識別手段に発行することができるので、より簡易に第２証明情報を利用者識別手段に書き込むことができるという効果を奏する。
【０１３５】
さらに、本発明の証明情報書込装置は、上記構成において、データを識別するためのデータ識別情報が記憶されたデータ識別手段から上記データ識別情報を読み取るデータ識別情報読取手段を備え、上記通信手段が、上記データ識別情報読取手段の読取結果に応じて、上記証明情報発行手段へ上記第２証明情報の送信を依頼するものである。
【０１３６】
上記構成によれば、たとえば再生すべきデータを格納した記録媒体や記録媒体の包装にデータ識別手段を設け、そのデータ識別手段に記憶されたデータ識別情報をデータ識別情報読取手段にて読み取ることができる。
【０１３７】
さらに、通信手段は、データ識別情報読取手段における読取結果に応じて第２証明情報の送信要求を証明情報発行手段に対して行う。したがって、たとえばデータの記録媒体等にデータ識別情報が格納されていなければ、第２証明情報の送信要求をしないというように、よりセキュリティの高められた方式にて証明情報発行手段に第２証明情報を送信させることができるという効果を奏する。
【０１３８】
また、本発明のデータ不正使用防止方法は、データを識別するための第１証明情報および第２証明情報のうち、証明情報発行手段により、該１証明情報を該データを再生するデータ再生装置に発行し、該第２証明情報を利用者を識別するための利用者識別手段に発行する第１ステップと、上記データ再生装置に上記第１証明情報が記憶されており、かつ上記第２証明情報が上記利用者識別手段に記憶されているか否かを、認証手段により判断する第２ステップと、上記第２ステップの判断結果に応じて、上記データを再生する第３ステップとを備えている方法である。
【０１３９】
上記構成によれば、本発明のデータ不正使用防止システムと同様の作用効果を得ることができる。
【０１４０】
また、本発明のデータ不正使用防止プログラムは、本発明のデータ不正使用防止システムにおける証明情報発行手段および認証手段としてコンピュータを機能させるものである。
【０１４１】
上記プログラムをコンピュータシステムにロードすることによって、上記データ不正使用システムを実現することが可能となるという効果を奏する。
【０１４２】
また、本発明のコンピュータ読み取り可能な記録媒体は、上記構成のデータ不正使用防止プログラムを記録しているものである。
【０１４３】
上記記録媒体に記録されたプログラムをコンピュータシステムにロードすることによって、上記データ不正使用防止プログラムを実現することが可能となるという効果を奏する。
【図面の簡単な説明】
【図１】本発明の一実施形態に係るデータ不正使用防止システムの構成を示すブロック図である。
【図２】図１における販売店端末の構成を示すブロック図である。
【図３】図１におけるゲーム機の構成を示すブロック図である。
【図４】図１におけるＩＣカードの構成を示すブロック図である。
【符号の説明】
１    データ不正使用防止システム
２    ＩＣカード（利用者識別手段）
３    ゲーム機（データ再生装置）
５    販売店端末（証明情報発行手段、証明情報書込装置）
９    登録所（証明情報発行手段）
１０  ＲＦ−ＩＤ（データ識別手段）
２０  通信部（通信手段）
２５ａ  証明情報Ｒ／Ｗ部（書込手段）
２６  ＩＤ情報リーダ部（データ識別情報読取手段）
３４  証明情報記憶部（第１証明情報記憶手段）
３５  使用権利情報判断部（認証手段、データ再生可否判断手段）
３６  暗号処理部（復号化手段）
【図１】
2004350059.tif 000003
【図２】
2004350059.tif 000004
【図３】
2004350059.tif 000005
【図４】
2004350059.tif 000006